(57)【要約】履物用通気ソールを開示する。本発明の通気ソールは、前記ソールの側面に設けられた空気流出入口（１１０）、前記ソール（１００）の上面に設けられた通孔、および前記空気流出入口と前記通孔とを連結する空気流路を含んでなり、これにより外気が履物の内部に供給されるようにする。また、本発明は、前記空気流出入口（１１０）には、ノッキング作用によって開放または閉鎖される空気流出入口開閉装置（２００）が、その一部が前記ソール（１００）の外側に露出するように設置され、これにより、必要に応じて使用者が空気流出入口（１１０）を選択的に開放または閉鎖させることができることを特徴とする。【選択図】図５
2010500097.tif 000002
【特許請求の範囲】
【請求項１】
履物ソールの側面に設けられた空気流出入口、前記履物ソールの上面に設けられた通孔、および前記空気流出入口と前記通孔とを連結する空気流路を含んでなり、これにより外気が履物の内部に供給されるようにした履物用通気ソールにおいて、
前記空気流出入口には、ノッキング作用によって開放または閉鎖される空気流出入口開閉装置が、その一部が前記履物ソールの外側に露出するように設置されることを特徴とする、履物用通気ソール。
【請求項２】
前記空気流出入口開閉装置は、両端が開放され、前記空気流出入口に密着して嵌合される円筒状ケースと、前記ケースに収納されるノッキング手段と、前記ノッキング手段の押圧によって前進後退し、前記ケースのうち外側ケースの開放された頂部を開閉する移動部材とを含んでなることを特徴とする、請求項１に記載の履物用通気ソール。
【請求項３】
前記ノッキング作用を果たす前記ノッキング手段は、前記ケースのうち内側ケースに設けられた複数のノッキング用支持突起および複数のガイド溝；一端が開放された円筒状で、一端側の周縁部にはジグザグ状のノッキング用凸凹が設けられ、外部に露出する他端には複数の通孔が設けられ、外周面には前記夫々のガイド溝に沿ってスライドする複数のガイド突起が設けられた押圧部材；両端が開放された円筒状で、外周面には前記ノッキング用凸凹と接し、前記押圧部材の押圧に応じて交互に前記ノッキング用支持突起に係止され、または前記ガイド溝に挿入されるノック突起が設けられた回転部材；および前記移動部材と前記外側ケースとの間に位置し、前記ノッキング作用に必要な弾性を提供するスプリング；を含んでなることを特徴とする、請求項２に記載の履物用通気ソール。
【請求項４】
前記移動部材は、一端が開放された円筒状で、前記開放された一端に燐接する外周面には、前記ノッキング手段の前記ノッキング作用に連動して前進後退するための突起が設けられ、閉鎖された他端に隣接する外周面には、外気が前記外側ケースの開放された前記頂部に流入できるようにした通孔が設けられることを特徴とする、請求項２に記載の履物用通気ソール。
【請求項５】
請求項３および４のいずれか１項に記載の履物用通気ソールであって、前記外側ケースの前記頂部には、前記移動部材の他端部と移動可能に接し、それにより前記移動部材の移動に伴って開閉作用が行われる両端開放の円筒状ゴム栓がさらに備えられる履き物用通気ソール。
【発明の詳細な説明】
【技術分野】
【０００１】
本発明は、履物用通気ソールに係り、外気が履物の内部に供給されるように履物のソールに設けられた通気口を使用者が直接開閉し得るようにした履物用通気ソールに関する。
【背景技術】
【０００２】
一般に、履物は、通気性のよくない皮革または合成樹脂などを用いて製作されるため、長時間着用すると、外部との通気が確保されなくて履物の内部が暑くなる。よって、汗によって湿気が発生すると同時に、カビなどが生息して足の臭いまたは水虫などが発生する。
【０００３】
上述した問題点を解決するために、履物の内部と外部の空気が互に循環できるようにした履物用通気ソールが提案された。
【０００４】
図１は従来の履物用通気ソールの斜視図である。
【０００５】
図１に示すように、従来の履物用通気ソール１００は、ソール１００の側面に設けられた空気流出入口１１０、ソール１００の上面に設けられた通孔１３０、および前記空気流出入口１１０と前記通孔１３０とを連結する空気流路（図示せず）とを含んでなり、これにより外気が履物の内部に供給される。
【０００６】
ところが、従来の履物用通気ソールによれば、使用者の意志を問わずに常に空気流出入口が開放されており、雨が降るときまたは塵が多い地域では雨水が染み込み或いは粉塵が流入して通孔が詰まるなど、使用上の不便さを引き起こすという問題点があった。
【発明の概要】
【発明が解決しようとする課題】
【０００７】
そこで、本発明は、上述した従来の技術の問題点を解決するためのもので、その目的は、通気ソールに空気流出入口開閉装置を備えて、必要に応じて使用者の簡単な操作によって空気流出入口を開閉させ得るようにした、履物用通気ソールを提供することにある。
【課題を解決するための手段】
【０００８】
上記目的を達成するために、本発明は、履物ソールの側面に設けられた空気流出入口、前記履物ソールの上面に設けられた通孔、および前記空気流入口と前記通孔とを連結する空気流路を含んでなり、これにより外気が履物の内部に供給されるようにした履物用通気ソールにおいて、前記空気流出入口には、ノッキング作用によって開放または閉鎖される空気流出入口開閉装置が、前記履物ソールの外側に露出するように設置されることを特徴とする、履物用通気ソールを提供する。
【０００９】
特に、前記空気流出入口開閉装置は、両端が開放されたままで前記空気流出入口に密着して嵌合される円筒状ケースと、前記ケースに収納されるノッキング手段と、前記ノッキング手段の押圧によって進退し、前記ケースのうち外側ケースの開放された頂部を開閉する移動部材とを含んでなる。
【発明の効果】
【００１０】
上述した構成を持つ本発明は、通気ソールの空気流入出口に、ノッキング作用によって開放または閉鎖される空気流出入口開閉装置が、ソールの外側に露出するように設置されることにより、必要に応じて使用者が空気流出入口を開放または閉鎖させることができるという便利な効果がある。
【図面の簡単な説明】
【００１１】
【図１】従来の履物用通気ソールの斜視図である。
【図２】本発明に適用できる空気流出入口開閉装置の分離斜視図である。
【図３】本発明に適用できる空気流出入口開閉装置の作動を説明するための図である。
【図４】本発明に適用できる空気流出入口開閉装置の作動を説明するための図である。
【図５】本発明に係る履物用通気ソールが適用された履物の側面図である。
【発明を実施するための形態】
【００１２】
以下、本発明の好適な実施例を添付図面を参照して詳細に説明する。
【００１３】
図２は本発明に適用できる空気流出入口開閉装置の分離斜視図である。空気流出入口開閉装置は、従来の通気ソールの空気流出入口に嵌合されることにより、ノッキング作用によって空気の流出入口を開閉させる構造を有する。  
図２に示すように、本発明に適用できる空気流出入口開閉装置２００は、両端が開放されたままで前記空気流出入口に密着して嵌合される円筒状ケース２１０、２２０、前記ケース２１０、２２０に収納されるノッキング手段２１１、２１３、２３０、２４０、２６０、および前記ノッキング手段２１１、２１３、２３０、２４０、２６０の押圧によって進退し、前記円筒状ケース２１０、２２０の開口を開閉する移動部材２５０を含んでなる。
【００１４】
まず、ケース２１０、２２０は内側ケース２１０と外側ケース２２０を含んでなる。内側ケース２１０は、両端が開放された円筒状であって、内部にはノッキング用支持突起２１１およびガイド溝２１３が設けられ、ノッキング用支持突起２１１が設けられた側の面が外部に露出するように空気流出入口１１０に嵌合される。
【００１５】
外側ケース２２０は、両端が開放された円錐状をし、内部に階段状の段部２２１が設けられ、前記内側ケース２１０と嵌合されるが、この嵌合は、接着剤による接着、摩擦力による密嵌、または突起と溝を含む係止手段による係合などによって実現できる。
【００１６】
移動部材２５０は、一端が開放された円筒状をし、開放された一端側の外周面には、ノッキング手段のノッキング作用に連動して進退するための突起２５１が設けられ、閉鎖された他端側の外周面には、外気が外側ケース２２０の開放された頂部２２３に流入できるようにした通孔２５３が設けられる。
【００１７】
一方、上述したノッキング手段２１１、２１３、２３０、２４０、２６０は,力を加える度に進退を繰り返し行うトグル式進退機構であって、韓国登録実用新案第２０−０２１４５５９号公報、韓国登録特許第１０−０３２４０１１号公報、および韓国登録実用新案第２０−０３８４５４７号公報に詳細に開示されている。よって、本発明に適用できるノッキング手段に対する構造および作動方法について簡略に説明する。
【００１８】
まず、本発明に適用できるノッキング手段２１１、２１３、２３０、２４０、２６０は、ノッキング用支持突起２１１、ガイド溝２１３、押圧部材２３０、回転部材２４０およびスプリング２６０を含む。ノッキング用支持突起２１１およびガイド溝２１３は、前述したように内側ケース２１０に設けられる。
【００１９】
押圧部材２３０と回転部材２４０は順次内側ケース２１０に収納される。押圧部材２３０は、一端が開放された円筒状をし、一端側の周縁部にはジグザグ状のノッキング用凸凹２３５が設けられ、外部に露出する他端には多数の通孔２３１が設けられ、外周面には前記ガイド溝２１３に沿ってスライドする多数のガイド突起２３３が設けられる。
【００２０】
回転部材２４０は、両端が開放された円筒状をし、外周面には、ノッキング用凸凹２３５と接して押圧部材２３０の押圧に応じてノッキング用支持突起２１１およびガイド溝２１３に交互に係止されてノッキング作用を果たすノック突起２４１が設けられる。
【００２１】
最後に、スプリング２６０は、移動部材２５０の突起２５１と外側ケース２２０の段部２２１との間に位置し、ノッキング作用に必要な弾性を提供する。
【００２２】
したがって、本発明に係る空気流出入口開閉装置２００は、ノッキング手段２３０、２４０、２６０によって移動部材２５０が進退するにつれて、外側ケース２２０の頂部２２３が開閉されて、押圧部材２３０の通孔２３１および移動部材２５０の通孔２５３から流出入した空気が外側ケース２２０の頂部２２３を介して通気ソール１００の上面の通孔１３０に流出入する。すなわち、必要な場合、使用者は、ノッキング手段の押圧部材２３０を押すことにより、空気流出入口１１０を開閉することができる。
【００２３】
一方、未説明符号２７０は、ゴム栓であって、外側ケース２２０の頂部２２３に設置され、移動部材２５０の移動に伴ってさらに確実な開閉が行われるようにするためのものであることが好ましい。
【００２４】
図３および図４は本発明に適用できる空気流出入口開閉装置の作動を説明するための図である。図３はゴム栓２７０の内側開放面２７１が開放された状態を示し、図４はゴム栓２７０の内側開放面２７１が閉鎖された状態を示す。
【００２５】
まず、図３は移動部材２５０の端部２５５がゴム栓２７０から離隔している状態を示す。この状態で、押圧部材２３０の通孔２３１から流入した空気は、移動部材２５０の通孔２５３を通過した後、ゴム栓２７０に伝達されて履物の内部に流入する。
【００２６】
図４は図３の状態で押圧部材２３０を押して移動部材２５０の端部２５５がゴム栓２７０の内側開放面２７１と接するようにした状態である。この状態で、押圧部材２３０の通孔２３１から流入した空気は、移動部材２５０の通孔２５３を経て外側ケース２２０までは流入するが、以後、ゴム栓２７０の内側開放面２７１が移動部材２５０の端部２５５に塞がれているので、履物の内部には流入しない。
【００２７】
したがって、使用者は、空気流出入口開閉装置２００を操作することにより、必要に応じて空気流出入口１１０の開閉を選択することができる。
【００２８】
図５は本発明に係る履物用通気ソールが適用された履物の側面図であって、ソール１００の空気流出入口１１０に空気流出入口開閉装置２００が嵌合された状態を示す図である。
【００２９】
本発明の履物用通気ソールは、前述した実施例に限定されず、本発明の技術思想が許容する範囲内で様々に変形して実施することができる。
【産業上の利用可能性】
【００３０】
上述したように、本発明は、必要に応じて使用者が直接空気流出入口を開放または閉鎖させることができるため、水や塵などの異物の入り込みを抑制して通孔の詰りを防止することができ、使用者が便利に使用することができるという効果がある。
【符号の説明】
【００３１】
１００：ソール
１１０：空気流出入口
２００：空気流出入口開閉装置
２１０：内側ケース
２１１：ノッキング用支持突起
２１３：ガイド溝
２２０：外側ケース    
２２１：段部
２２３：頂部
２３０：押圧部材
２３１：通孔        
２３３：ガイド突起
２３５：ノッキング用凸凹
２４０：回転部材
２４１：ノック突起
２５０：移動部材
２５１：突起        
２５３：通孔
２５５：端部        
２６０：スプリング
２７０：ゴム栓
２７１：内側開放面    
【図１】
2010500097.tif 000003
【図２】
2010500097.tif 000004
【図３】
2010500097.tif 000005
【図４】
2010500097.tif 000006
【図５】
2010500097.tif 000007
【国際調査報告】
2010500097.tif 000008
2010500097.tif 000009